(57)【要約】マルチカラー電気泳動ディルプレイにおいて、双安定な動作のために従来の電極（６、７）に加えて他の電極（６’）を導入することにより、グレー値が実現される。複数の実施例が示される。
2004520621.tif 000002
【特許請求の範囲】
【請求項１】
電気泳動媒体を備えるピクセル並びに該ピクセルを異なった光状態にすることができる２つのスイッチング電極及び駆動手段を少なくとも有し、前記ピクセルは、電圧によって中間光状態を実現するための少なくとも１つの他の電極及び駆動手段を備える電気泳動マルチカラーディスプレイ装置。
【請求項２】
選択の前に前記ピクセルを規定の状態にする手段を有する、請求項１に記載の電気泳動カラーディスプレイ装置。
【請求項３】
ピクセルが、電圧によって中間光状態を実現するための少なくとも２つの他の電極及び駆動手段を有する、請求項１に記載の電気泳動カラーディスプレイ装置。
【請求項４】
前記電気泳動媒体は各々がスイッチング電極を備える２つの基板の間に存在し、前記基板のうち少なくとも１つは前記他の１つの電極又は他の複数の電極を備える、請求項１又は３に記載の電気泳動カラーディスプレイ装置。
【請求項５】
前記電気泳動媒体がマイクロカプセル中に存在する、請求項１又は３に記載の電気泳動カラーディスプレイ装置。
【請求項６】
各ピクセルごとに１つのマイクロカプセル、又は、各サブピクセルごとに１つのマイクロカプセルを有する、請求項５に記載の電気泳動カラーディスプレイ装置。
【請求項７】
前記電気泳動媒体は２つの基板の間に存在し、前記基板のうち１つは前記スイッチング電極及び前記他の１つの電極又は他の複数の電極を備える、請求項１又は３に記載の電気泳動カラーディスプレイ装置。
【請求項８】
前記スイッチング電極はくし形でインターデジタルであり、前記他の１つの電極又は他の複数の電極の一部は前記２つのスイッチング電極の歯の間に位置する、請求項７に記載の電気泳動カラーディスプレイ装置。
【請求項９】
前記電気泳動媒体がプリズム構造中に存在する、請求項１又は３に記載の電気泳動カラーディスプレイ装置。
【請求項１０】
少なくとも３種類の粒子を有し、異なった種類の粒子の移動度は部分的に重複する範囲にある、請求項１又は３に記載の電気泳動カラーディスプレイ装置。
【請求項１１】
少なくとも３種類の粒子を有し、異なった種類の粒子の移動度はほぼ重複しない範囲にある、請求項１又は３に記載の電気泳動カラーディスプレイ装置。
【請求項１２】
表示されるべき異なった色に対して、前記駆動手段が前記他の複数の電極に異なったパルスパターンを与える、請求項１１に記載の電気泳動カラーディスプレイ装置。
【請求項１３】
カラーフィルタを備える請求項１又は３に記載の電気泳動カラーディスプレイ装置。
【請求項１４】
電気泳動媒体を備えるピクセル並びに該ピクセルを異なった光状態にすることができる２つのスイッチング電極及び駆動手段を少なくとも有し、前記ピクセルは、電圧によって中間光状態を実現するための少なくとも１つの他の電極及び駆動手段を備えるような電気泳動ディスプレイ装置。
【発明の詳細な説明】
【０００１】
【発明の属する技術分野】
本発明は、電気泳動媒体を備えるピクセル並びに該ピクセルを異なった光状態にすることができる２つのスイッチング電極及び駆動手段を少なくとも有する電気泳動マルチカラーディスプレイ装置に関する。本出願においてスイッチング電極に言及するときは、所望ならばこれは、外部から又はスイッチング素子を介して同一の電圧を供給されるような複数のサブ電極に分割されることができる。
【０００２】
【従来の技術】
電気泳動ディスプレイ装置は、異なった光透過性又は光反射性を有する２つの極限状態の間の、電場の影響の下の帯電した通常色付きの粒子の運動に基づく。暗い（色付きの）文字が明るい（色付きの）バックグラウンドに画像化され、また、その反対も可能である。
【０００３】
従って、電気泳動ディスプレイ装置は、「ペーパーホワイト」アプリケーション（電子新聞、電子日記）と呼ばれる紙の機能に取って代わるディスプレイ装置に特に用いられている。
【０００４】
２つのスイッチング電極間に電気泳動媒体を有する既知の電気泳動ディスプレイ装置において、スイッチング電極は駆動電圧を供給される。この場合、ピクセルは２つの極限の光状態にのみされることができる。このときスイッチング電極の１つは、例えばディスプレイ素子の上面にある２つの相互接続された細い導電ストリップとして実現される。ディスプレイ素子の下面全体をカバーする下部電極に対するこのスイッチング電極の正の電圧では、（この例では負に帯電した）粒子は、２つの相互接続された細い導電ストリップにより規定されるポテンシャル平面に向かって移動する。このとき（負に）帯電した粒子がディスプレイ素子（ピクセル）の前面に分散され、このときこれらディスプレイ素子は帯電した粒子の色を呈する。下部電極に対するこのスイッチング電極の負の電圧では、（負に）帯電した粒子は、下面を移動し、ディスプレイ素子（ピクセル）は液体の色を呈する。
【０００５】
【発明が解決しようとする課題】
実際上は、中間の光状態（グレー値と呼ばれる）を表示することに対する常に増加している需要がある。グレー値を導入する既知の方法は通常満足のいくものではない。例えば、電気泳動ディスプレイ装置は、時間によって重み付けされた駆動周期（時間比グレースケール）を介してグレー値を導入するには遅すぎる。ピクセルの異なった表面（エリア比グレースケール）への分割は、互いのクロストークを防止するために異なったサブピクセル間に障壁を必要とする。
【０００６】
更に、駆動に必要とされる電極の数はマルチカラーディスプレイ装置において大きく増加する。
【０００７】
本発明の目的は、この欠点を防ぐことである。
【０００８】
【課題を解決するための手段】
本発明による電気泳動カラーディスプレイ装置においては、電圧を介して中間光状態を実現するための少なくとも１つの他の電極及び駆動手段を提供することにより、グレー値（中間光状態）が実現される。
【０００９】
本発明は、ディスプレイセル内の電場は、上述の例においては、他の１つの電極又は複数の電極への電圧により、下部電極に対するスイッチング電極の正の電圧において電場線が乱され、負に帯電した粒子が２つの電極間の面に向かって部分的にしか移動しなくなるような態様で影響されることができる、という認識に基づく。スイッチング電極及び他の電極の電圧に依存して、より多い又はより少ない数の粒子がこの２つの電極間の面に移動し、異なった中間光状態（グレー値）が得られる。このカラーディスプレイ装置は、例えばカラーフィルタを備えてよいが、ピクセルが複数の別個の電気泳動サブピクセルによって構成されても良い。この場合、サブピクセルを例えば、２０００年の２０ｔｈ ＩＤＲＣ Ｃｏｎｆｅｒｅｎｃｅの８４〜８７ページの”Ｍｉｃｒｏ ｅｎｃａｐｓｕｌａｔｅｄ Ｅｌｅｃｔｒｏｐｈｏｒｅｔｉｃ Ｍａｔｅｒｉａｌｓ ｆｏｒ Ｅｌｅｃｔｒｏｎｉｃ Ｐａｐｅｒ Ｄｉｓｐｌａｙｓ”に説明されたようなマイクロカプセルとして形成することが有利かもしれない。マイクロカプセルは、障壁、例えば高分子壁（例えば軸対称配向マイクロセル、ＳＩＤ８９８ Ｄｉｇｅｓｔ ｐｐ．１０８９を参照のこと）を作製することにより得ることもできる。
【００１０】
本発明は更に、異なった移動度を持つ電気泳動粒子を用い、また、前記他の電極に対して適切なパルスパターンを用いるとき、複合色の各々に対して異なった中間光状態を得ることができるという認識に基づく。通常このとき、より少ない数の電極を用いれば十分である。設定の変更の際に２つの電極間の面で満足のいく分布を得るには、例えば選択の前に、必要ならば小さな交流電場成分と組み合わせて、（例えばリセットパルスにより） ピクセルを規定の状態にすることにより、事前に帯電粒子を他の電極に均一に分布させることが好ましい。
【００１１】
第１の実施例では、各々がスイッチング電極を備える２つの基板間に電気泳動媒体が存在し、この基板のうち少なくとも１つが他の１つの電極又は複数の電極を備える。帯電粒子は基板間の液体中に存在してよいが、代わりに、電気泳動媒体がマイクロカプセル中にあってもよい。第１に説明された場合においては、ピクセルは障壁により互いに分離されていてよい。
【００１２】
他の実施例では、電気泳動媒体が２つの基板間にあり、特にラテラル効果が用いられる場合にはこの基板のうち１つはスイッチング電極及び他の１つの電極又は複数の電極を有する。
【００１３】
好適な実施例では、スイッチング電極はくし型でインターデジタルであり、（絶縁された）他の電極又は複数の電極の一部は２つのスイッチング電極の歯の間に位置する。代替的に、電気泳動媒体は２０００年のＰｒｏｃ． ２０ｔｈ ＩＤＲＣ Ｃｏｎｆｅｒｅｎｃｅのｐｐ． ３１１〜３１４の”Ｎｅｗ Ｒｅｆｌｅｃｔｉｖｅ Ｄｉｓｐｌａｙ Ｂａｓｅｄ ｏｎ Ｔｏｔａｌ Ｉｎｔｅｒｎａｌ Ｒｅｆｌｅｃｔｉｏｎ ｉｎ Ｐｒｉｓｍａｔｉｃ Ｍｉｃｒｏｓｔｒｕｃｔｕｒｅｓ”に説明されるプリズム構造中に存在してもよい。
【００１４】
本発明のこれらの及び他の側面は、以下で実施例を参照して説明され明らかにされる。
【００１５】
図及び図表は実寸どおりには描かれていない。対応する部品は一般的に同一の参照番号により示される。
【００１６】
【発明の実施の形態】
図１は本発明が適用可能なカラーディスプレイ装置１の一部の電気的等価物を示す。これは、行即ち選択電極７と列即ちデータ電極６との交差点の領域においてピクセル３の行列を有する。行電極１〜ｍは行ドライバ４により連続的に選択され、列電極１〜ｎはデータレジスタ５を介してデータを供給される。この例では、列１，４，７，…，ｎ−２のピクセルは赤いピクセルを構成し、列２，５，８，…，ｎ−１のピクセルは青いピクセルを構成し、列３，６，９，…，ｎのピクセルは緑のピクセルを構成する。この目的のため、入力データ２は必要ならば最初にプロセッサ１０で処理される。行ドライバ４とデータレジスタ５との間の相互の同期化はドライブライン８を介して起こる。
【００１７】
列ドライバ４及びデータレジスタ５からのドライブ信号はピクセル１０を選択する（受動ドライブと呼ばれる）。既知の装置では、列電極６が、交差領域におけるピクセルが２つの極限状態のうち少なくとも１つにあるように列電極７に対して電圧を受ける（例えば、液体及び電気泳動粒子の色に依存して黒又は色付き）。
【００１８】
所望ならば、行ドライバ４からのドライブ信号は、薄膜トランジスタ（ＴＦＴ）９を介して、そのゲート電極が行電極７に、そのソース電極２１が列電極６に、電気的に接続されているような画素電極を選択することができる（アクティブドライブと呼ばれる）。列電極６における信号はＴＦＴを介してドレイン電極に結合されたピクセル１０の画素電極に転送される。ピクセル１０の他の画素電極は、例えばアースに例えば１つの（又は複数の）共通対電極により接続されている。図１の例では、このようなＴＦＴ９がただ１つのピクセル１０に対して図式的に示される。
【００１９】
本発明による第１のカラーディスプレイ装置では、各ピクセルは、他の電極及び該他の電極に電圧を供給する駆動手段を備える。これは、第３の電極６’を備えるこのようなピクセルの断面を示す図２に示される。この駆動手段は、例えばデータレジスタ５（場合によってはドライバの一部）及び追加の列電極６’（アクティブドライブの場合は追加のＴＦＴも）を有する。
【００２０】
ピクセル１０（図２）は、スイッチング電極７を備える例えばガラス又は合成物質の第１基板１１と、スイッチング電極６を備える第２の透明基板１２とを有する。このピクセルは、電気泳動媒体、例えば中に粒子１４が存在する白い液体１３により満たされ、この例では該粒子１４は色付きの正に帯電した粒子１４である。更に、第３の電極の電圧を介して中間光状態を実現するためにピクセルは（前に説明されたように、必要ならば図２には示されない駆動手段と共に）第３の電極６’を備える。この意味では、第３電極６’は２つの極限状態の間のスイッチング挙動にも影響を与えることに注意すべきである。
【００２１】
例えば図２Ａでは、スイッチング電極７はアースに接続され、両電極６、６’は電圧＋Ｖに接続される。（この例では正に帯電した）粒子１４は、この場合は電極７である最低の電位を持つ電極に向けて移動する。見る方向１５から見た場合、このピクセルは液体１３の色（この場合は白）を有する。図２Ｂでは、スイッチング電極７はアースに接続され、両電極６、６’は電圧−Ｖに接続される。正に帯電した粒子１４は、最低の電位を持つ電極に向けて、この場合は、基板１２に平行にちょうど沿っている、電極６、６’により規定される電位平面に向けて、移動する。見る方向１５から見た場合、このピクセルはここで粒子１４の色を有する。
【００２２】
スイッチング電極７も図２Ｃでアースに接続されている。電極６は再び電圧−Ｖに接続されている。しかしここで、第３電極６’は電極７と同様にアースに接続されている。正に帯電した粒子１４は、この場合は電極６の周りの領域である最低電位に向かって移動する。これは、図２Ｄに示されるように第３の電極６’が電圧＋Ｖに接続されていれば更に強く起こる。見る方向１５から見れば、ピクセルは一部だけ粒子１４の色を有し、一部だけ白い液体の色を有する。これは、中間反射レベル（グレー値）を生じさせる（図２Ｃでは暗く、図２Ｄでは明るい）。
【００２３】
粒子は、例えば液体中の動きのため常に基板上に位置しているわけではないので、基板に粘着性の層を設けることが有利であるかもしれない。
【００２４】
黒い粒子が粒子１４として選択されると、例えば図２に示すように（サブ）ピクセルを形成することにより、また、図３に示すように全体にカラーフィルタ１６を設けることにより、カラーディスプレイ装置が得られる。このとき、列１，４，７，…，ｎ−２が赤いフィルタ位置１６Ｒによりカバーされ、列２，５，８，…，ｎ−１が青いフィルタ位置１６Ｂによりカバーされ、列３，６，９，…，ｎが緑のフィルタ位置１６Ｇによりカバーされる（図３）。他の点では、図３中の参照番号は図２中の同一の部品を表す。
【００２５】
カラーフィルタは、図４において、粒子１４について各列において所望の色の粒子が用いられれば、即ち、赤い（サブ）ピクセルに対して赤い粒子１４Ｒ、青い（サブ）ピクセルに対して青い粒子１４Ｒ、緑の（サブ）ピクセルに対して緑の粒子１４Ｒ、が用いられれば、省略されてよい。
【００２６】
液体の動きを制限させる１つの可能性は、２０００年の２０ｔｈ ＩＤＲＣ Ｃｏｎｆｅｒｅｎｃｅ， ｐｐ． ８４−８７の”Ｍｉｃｒｏ Ｅｎｃａｐｓｕｌａｔｅｄ Ｅｌｅｃｔｒｏｐｈｏｒｅｔｉｃ Ｍａｔｅｒｉａｌｓ ｆｏｒ Ｅｌｅｃｔｒｏｎｉｃ Ｐａｐｅｒ Ｄｉｓｐｌａｙｓ”に説明されたようなマイクロカプセルの使用である。ここでは、正に帯電した粒子１４を有する液体１３である電気泳動媒体が透明基板１８中のマイクロカプセル１７中に存在する（図５を参照のこと）。
【００２７】
図中では、スイッチング電極は再びアース（０Ｖ）に接続され、この例では、電極６，６’がそれぞれ−Ｖとアース（０Ｖ）とにそれぞれ接続される。正に帯電した（黒い）粒子１４は、この場合は電極６の方向に、最低電位に向かって移動し、最終的にはマイクロカプセル１７の上部に大部分が存在する。このとき見る方向１５から見たら、ピクセルは中間色（黒い粒子についてはダークグレー）を有する。
【００２８】
図３及び４を参照して同様に説明されたように、全マイクロカプセルに黒い粒子及び白い液体を適用することにより、また、ディスプレイ装置にカラーフィルタを提供することにより（図５の破線１６により模式的に示される）、カラーディスプレイ装置が得られる。
【００２９】
しかし、好適には、各マイクロカプセル１７は図５に示されるように、適切な液体を赤い粒子１４Ｒ、青い粒子１４Ｂ及び緑の粒子１４Ｇとそれぞれ混合することにより、１つの色に結合される。図３中の他の参照番号は他の図中の番号と同じである。
【００３０】
図６は米国特許第ＵＳ ６，０１７，５８４号に説明されるカラーディスプレイ装置を示す。ピクセルは再び例えば電気泳動媒体、例えば粒子１４を有する白い液体１３で満たされる。この粒子はこの例では赤い粒子１４Ｒ、緑の粒子１４Ｇ及び青い粒子１４Ｂから構成される正に帯電した粒子１４である。粒子は異なった色を有するだけではなく異なった移動度も有する。例えば、電場中で赤い粒子は緑の粒子よりも速く移動し、この緑の粒子は青い粒子よりも速く移動する。
【００３１】
図６Ａの状況では、全粒子は電極７（この電位は０で、電極６は＋Ｖの電位を有する）の近くに存在する。このときピクセルは白い外観を有する。図６Ｂでは、電極６は振幅−Ｖの負のパルス（方形波電圧）２０を受信し、このパルスは全ての赤い粒子１４Ｒが電極６に向かって移動することができるのに十分長く持続する。この結果、ピクセルは赤い外観を有する。緑の粒子１４Ｇは、例えば電極６と７との間の距離の半分（好ましくはもう少し多く）に到達している。２倍の継続時間を有する負のパルス（方形波電圧）２０を用いるとき、これら粒子も電極６に達する。次に短い正のパルス（方形波電圧）２１を与えることにより（図６Ｃ）、赤い粒子１４Ｒが再び電極７の方向に移動し、緑の粒子１４Ｇのみが電極６の領域に存在することになる。ここでピクセルは緑の外観を有する。（サブ）方形波電圧２０、２１に更に長い継続時間を与えることにより、青い粒子１４Ｂのみが電極６の領域に存在し（図６Ｄ）、ピクセルは青い外観を得る。
【００３２】
図７のディスプレイ装置において、それぞれが０Ｖ、−Ｖ及び＋Ｖの電圧を伝達する第３の電極６’を備えるこのような３つのピクセルが示され、図２を参照して同様に説明される。図６を参照して説明されたように、再び類似したパルスパターンを電極６に提供することにより、粒子１４は移動度の違いから電極６に向かって異なった態様で移動していき、各色に対して異なった伝送値が可能である。これにより、同時に１色の粒子のみが可視になり、より明るい色（より高い色彩度）をもたらす。
【００３３】
電極６にパルスパターンを提供することも可能である。これにより、異なった色の粒子の混合が可視面で得られる。従って、米国特許第ＵＳ ６，０１７，５８４号のように、粒子１４が互いに重複すべきでないという要件は、（移動度）特性に関する限りは、常に課すことは必要ではない。（移動度）特性（の重複の程度）に依存して、パルスパターンを変化させることによって所望の色変化を得ることができる。
【００３４】
図８のカラーディスプレイ装置は、同一基板上に複数の電極６，６’を有する。この例では、スイッチング電極６，６’は、パルスパターンを供給する４つの電圧源（構成Ａ、Ｂ、Ｃ）又は５つの電圧源（構成Ｄ）に接続される。異なった電圧を適切に操作することにより、図９中で構成Ｂの例により示されたように、上面の異なった部分に異なった伝送値を有する色を再び生じさせることができる。図９中の参照番号は他の図と同一の意味を有する。図９中に示される実施例の利点は、これが有する電極６、６’が色の三つ組ごとに２つ少なくなるということである。
【００３５】
電気泳動媒体は、２０００年のＰｒｏｃ． ２０ｔｈ ＩＤＲＣ Ｃｏｎｆｅｒｅｎｃｅ， ｐｐ． ３１１−３１４の”Ｎｅｗ Ｒｅｆｌｅｃｔｉｖｅ Ｄｉｓｐｌａｙ Ｂａｓｅｄ ｏｎ Ｔｏｔａｌ Ｉｎｔｅｒｎａｌ Ｒｅｆｌｅｃｔｉｏｎ ｉｎ Ｐｒｉｓｍａｔｉｃ Ｍｉｃｒｏｓｔｒｕｃｔｕｒｅｓ”に説明されるようなプリズム構造に存在してもよい。これは図１０、１１に示される。既知の装置（図１０）は、正に帯電した粒子を含む液体１３を有する中空の（例えばガラスの）三角形の（この例では）反復構造のプリズム構造を有する。
【００３６】
電極６、７の電圧に依存して、正に荷電した粒子は金属の（下部）電極７又はＩＴＯ（上部）電極６上に存在する。第１に説明した場合では、入射ビームはガラス−液体界面において全反射される（矢印ａ）。第２の場合では、入射ビームはガラス−液体界面において吸収される（矢印ｂ）。
【００３７】
第３の電極６’を再び導入することにより、図２及び４の例に類似して、異なった中間反射値（グレー値）を有する種々の電場構成が導入されることができる。白い液体１３中で黒い正に荷電した粒子１４を用いるときは、図１１Ａ、１１Ｂ、１１Ｃ、１１Ｄ及び１１Ｅの構成は、白、黒、ダークグレー及びライトグレー並びに中間色に対応する。
【００３８】
色は、カラーフィルタにより、又は前の例を参照して同様に説明された態様で、再び得ることができる。
【００３９】
本発明は、当然のことながら、これまでに説明された例には制限されない。例えば、これまでに説明した例は常にサブピクセルとして赤、緑及び青の色を参照したが、イエロー、シアン及びマゼンタの色でも優れた結果を得ることができ、ここで第４の要素（例えば黒）を加えることもできる。本発明は、２つの色を有するディスプレイ装置（例えば黒と白とのモノクロ）にも適用可能である。
【００４０】
色パターンは縞として提供される必要はない。特に、ジグザグパターンが代わりに用いられることができる。図１０のプリズム構造の形状は、屋根型、球形又は円柱形など幾つもの態様に変化させられることができる。
【００４１】
必要であれば、基板１２は、例えば、上述のリセット機能又は反対に粒子１４の基板１２の方向の移動を制限するための追加の（透明）電極を備えることができる。これらの可能性の１つ又は複数の組み合わせが実際上では代わりに適用可能である。
【００４２】
本発明の保護する範囲は説明された実施例には制限されない。
【００４３】
本発明はありとあらゆる新しい特徴及びありとあらゆる特徴の組み合わせに属する。請求項中の参照番号はその保護する範囲を制限しない。動詞「有する（ｃｏｍｐｒｉｓｅ）」及びその活用形の使用は請求項中に記載された以外の要素の存在を除外しない。要素の前の冠詞「一つの（ａ ｏｒ ａｎ）」の使用はこのような要素が複数存在することを除外しない。
【図面の簡単な説明】
【図１】カラーディスプレイ装置を模式的に示す。
【図２Ａ】異なったグレー値（中間光状態）が実現された本発明による電気泳動カラーディスプレイ装置のピクセルを示す。
【図２Ｂ】異なったグレー値（中間光状態）が実現された本発明による電気泳動カラーディスプレイ装置のピクセルを示す。
【図２Ｃ】異なったグレー値（中間光状態）が実現された本発明による電気泳動カラーディスプレイ装置のピクセルを示す。
【図２Ｄ】異なったグレー値（中間光状態）が実現された本発明による電気泳動カラーディスプレイ装置のピクセルを示す。
【図３】異なったグレー値（中間光状態）が実現された本発明による電気泳動カラーディスプレイ装置を示す。
【図４】図３の変形例を示す。
【図５】異なったグレー値（中間光状態）が実現されることができる本発明による他の電気泳動カラーディスプレイ装置を示す。
【図６Ａ】既知のカラーディスプレイ装置において異なった色がどのように実現されるかを示す。
【図６Ｂ】既知のカラーディスプレイ装置において異なった色がどのように実現されるかを示す。
【図６Ｃ】既知のカラーディスプレイ装置において異なった色がどのように実現されるかを示す。
【図６Ｄ】既知のカラーディスプレイ装置において異なった色がどのように実現されるかを示す。
【図７】本発明による図６のカラーディスプレイ装置において異なったグレー値がどのように実現されるかを示す。
【図８Ａ】本発明による他の電気泳動カラーディスプレイ装置の一部の平面図である。
【図８Ｂ】本発明による他の電気泳動カラーディスプレイ装置の一部の平面図である。
【図８Ｃ】本発明による他の電気泳動カラーディスプレイ装置の一部の平面図である。
【図８Ｄ】本発明による他の電気泳動カラーディスプレイ装置の一部の平面図である。
【図９】図８の線ＩＸ−ＩＸで得られる断面図である。
【図１０】本発明による他の電気泳動カラーディスプレイ装置を示す。
【図１１Ａ】図１０に示されるディスプレイ装置において異なったグレー値（中間光状態）がどのように実現されたかを示す。
【図１１Ｂ】図１０に示されるディスプレイ装置において異なったグレー値（中間光状態）がどのように実現されたかを示す。
【図１１Ｃ】図１０に示されるディスプレイ装置において異なったグレー値（中間光状態）がどのように実現されたかを示す。
【図１１Ｄ】図１０に示されるディスプレイ装置において異なったグレー値（中間光状態）がどのように実現されたかを示す。
【図１１Ｅ】図１０に示されるディスプレイ装置において異なったグレー値（中間光状態）がどのように実現されたかを示す。
【国際公開パンフレット】
2004520621.tif 000003
2004520621.tif 000004
2004520621.tif 000005
2004520621.tif 000006
2004520621.tif 000007
2004520621.tif 000008
2004520621.tif 000009
2004520621.tif 000010
2004520621.tif 000011
2004520621.tif 000012
2004520621.tif 000013
2004520621.tif 000014
2004520621.tif 000015
2004520621.tif 000016
2004520621.tif 000017
2004520621.tif 000018
【国際調査報告】
2004520621.tif 000019
2004520621.tif 000020
2004520621.tif 000021